(57)【要約】【課題】人を上階に誘引することが可能な吹き抜け空間を含む建物及び設計法を提供する。【解決手段】本発明に係る建物は、３層以上の階層を有する建物であって、所定の基準階層と、前記所定の基準階層よりも上方の第１上階層と、前記所定の基準階層及び前記第１上階層よりも上方の第２上階層と、前記所定の基準階層から上方に延在し、前記第１上階層及び前記第２上階層と隣接する吹き抜け空間と、を含む。前記第１上階層は、前記吹き抜け空間から視認可能な、平面視で、前記吹き抜け空間に隣接すると共に前記吹き抜け空間に沿って延在する第１隣接部を備える。前記第２上階層は、前記吹き抜け空間から視認可能な、平面視で、前記吹き抜け空間に隣接すると共に前記吹き抜け空間に沿って延在する第２隣接部を備える。前記第２隣接部は、前記第１隣接部と鉛直方向で重ならない部分を備える。【選択図】図４
2020204224.tif 000002
【特許請求の範囲】
【請求項１】
３層以上の階層を有する建物であって、
所定の基準階層と、
前記所定の基準階層よりも上方の第１上階層と、
前記所定の基準階層及び前記第１上階層よりも上方の第２上階層と、
前記所定の基準階層から上方に延在し、前記第１上階層及び前記第２上階層と隣接する吹き抜け空間と、を含み、
前記第１上階層は、前記吹き抜け空間から視認可能な、平面視で、前記吹き抜け空間に隣接すると共に前記吹き抜け空間に沿って延在する第１隣接部を備え、
前記第２上階層は、前記吹き抜け空間から視認可能な、平面視で、前記吹き抜け空間に隣接すると共に前記吹き抜け空間に沿って延在する第２隣接部を備え、
前記第２隣接部は、前記第１隣接部と鉛直方向で重ならない部分を備える建物。
【請求項２】
前記第１隣接部は、周囲よりも前記吹き抜け空間に向かってせり出す第１ステージ部を備え、
前記第２隣接部は、周囲よりも前記吹き抜け空間に向かってせり出す第２ステージ部を備え、
前記第２ステージ部は、前記第１ステージ部と鉛直方向で重ならない部分を備える、請求項１に記載の建物。
【請求項３】
前記第２ステージ部は、前記吹き抜け空間側から見た正面視において、前記第１ステージ部と鉛直方向で重ならない部分を備える、請求項２に記載の建物。
【請求項４】
前記第２ステージ部は、前記第１ステージ部よりも前記吹き抜け空間に向かってせり出している、請求項２又は３に記載の建物。
【請求項５】
前記第１ステージ部と前記第２ステージ部とを繋ぎ、前記第１上階層と前記第２上階層とを行き来可能にする昇降部を備える、請求項２から４のいずれか１つに記載の建物。
【請求項６】
３層以上の階層を有する建物の設計法であって、
前記建物は、
所定の基準階層と、
前記所定の基準階層よりも上方の第１上階層と、
前記所定の基準階層及び前記第１上階層よりも上方の第２上階層と、
前記所定の基準階層から上方に延在し、前記第１上階層及び前記第２上階層と隣接する吹き抜け空間と、を含み、
前記第１上階層に、前記吹き抜け空間から視認可能な、平面視で、前記吹き抜け空間に隣接すると共に前記吹き抜け空間に沿って延在する第１隣接部を配置し、
前記第２上階層に、前記吹き抜け空間から視認可能な、平面視で、前記吹き抜け空間に隣接すると共に前記吹き抜け空間に沿って延在する第２隣接部を配置し、
前記第１隣接部及び前記第２隣接部を、鉛直方向で重ならない部分を備えるように配置する、設計法。
【発明の詳細な説明】
【技術分野】
【０００１】
本発明は建物及び設計法に関する。
【背景技術】
【０００２】
従来から吹き抜け空間を有する建物が知られている。特許文献１には、一部が側方に開口する吹き抜け部と、この吹き抜け部の周囲に回廊状にそれぞれ配置された住戸と共用廊下を有する中・高層の建物が記載されている。
【先行技術文献】
【特許文献】
【０００３】
【特許文献１】特開２０００−０１７８５６号公報
【発明の概要】
【発明が解決しようとする課題】
【０００４】
特許文献１に記載の吹き抜け空間としての吹き抜け部は、高層マンション、ホテル、インテリジェントビル等に適用されることが一般的である。
【０００５】
吹き抜け空間を活用することにより、商業施設等において人を上階に誘引するような魅力を演出し得る。しかしながら、特許文献１に記載されているような吹き抜け部をそのまま商業施設等に適用しても、人を上階に誘引することは難しく、依然として改善する余地がある。
【０００６】
本発明は、人を上階に誘引することが可能な吹き抜け空間を含む建物及び設計法を提供することを目的とする。
【課題を解決するための手段】
【０００７】
上記課題を解決する本発明に係る建物は、３層以上の階層を有する建物であって、所定の基準階層と、前記所定の基準階層よりも上方の第１上階層と、前記所定の基準階層及び前記第１上階層よりも上方の第２上階層と、前記所定の基準階層から上方に延在し、前記第１上階層及び前記第２上階層と隣接する吹き抜け空間と、を含み、前記第１上階層は、前記吹き抜け空間から視認可能な、平面視で、前記吹き抜け空間に隣接すると共に前記吹き抜け空間に沿って延在する第１隣接部を備え、前記第２上階層は、前記吹き抜け空間から視認可能な、平面視で、前記吹き抜け空間に隣接すると共に前記吹き抜け空間に沿って延在する第２隣接部を備え、前記第２隣接部は、前記第１隣接部と鉛直方向で重ならない部分を備える。
【０００８】
上記課題を解決する１つの実施形態として、前記第１隣接部は、周囲よりも前記吹き抜け空間に向かってせり出す第１ステージ部を備え、前記第２隣接部は、周囲よりも前記吹き抜け空間に向かってせり出す第２ステージ部を備え、前記第２ステージ部は、前記第１ステージ部と鉛直方向で重ならない部分を備える。
【０００９】
上記課題を解決する１つの実施形態として、前記第２ステージ部は、前記吹き抜け空間側から見た正面視において、前記第１ステージ部と鉛直方向で重ならない部分を備える。
【００１０】
上記課題を解決する１つの実施形態として、前記第２ステージ部は、前記第１ステージ部よりも前記吹き抜け空間に向かってせり出している。
【００１１】
上記課題を解決する１つの実施形態としての建物は、前記第１ステージ部と前記第２ステージ部とを繋ぎ、前記第１上階層と前記第２上階層とを行き来可能にする昇降部を備える。
【００１２】
上記課題を解決する本発明に係る設計法は、３層以上の階層を有する建物の設計法であって、前記建物は、所定の基準階層と、前記所定の基準階層よりも上方の第１上階層と、前記所定の基準階層及び前記第１上階層よりも上方の第２上階層と、前記所定の基準階層から上方に延在し、前記第１上階層及び前記第２上階層と隣接する吹き抜け空間と、を含み、前記第１上階層に、前記吹き抜け空間から視認可能な、平面視で、前記吹き抜け空間に隣接すると共に前記吹き抜け空間に沿って延在する第１隣接部を配置し、前記第２上階層に、前記吹き抜け空間から視認可能な、平面視で、前記吹き抜け空間に隣接すると共に前記吹き抜け空間に沿って延在する第２隣接部を配置し、前記第１隣接部及び前記第２隣接部を、鉛直方向で重ならない部分を備えるように配置する。
【発明の効果】
【００１３】
本発明によれば、人を上階に誘引することが可能な吹き抜け空間を含む建物及び設計法を提供することができる。
【図面の簡単な説明】
【００１４】
【図１】本発明の一実施形態としての建物の１階平面図である。
【図２】図１に示す建物の２階平面図である。
【図３】図１に示す建物の３階平面図である。
【図４】昇降部を吹き抜け空間側から見た正面視を示す正面図である。
【図５】図４に示す第２ステージ部が第１ステージ部よりも吹き抜け空間側に向かって突出している様子を示す図である。
【発明を実施するための形態】
【００１５】
以下、本発明に係る建物及び設計法の実施形態について図面を参照して例示説明する。各図において共通する部材・部位には同一の符号を付している。
【００１６】
図１〜図３は、本発明に係る建物の一実施形態としての建物１００の平面図である。具体的に、図１は建物１００の１階平面図である。図２は建物１００の２階平面図である。図３は建物１００の３階平面図である。建物１００は３層以上の階層を有する構成であれば特に限定されない。したがって、建物１００は、図１〜図３に示す３層のみの階層を有する構成であってもよく、４階以上の上層階を更に有する構成であってもよい。また、建物１００は、百貨店などの商業施設に限られず、例えば、博物館などの文化施設であってもよい。商業施設とは、例えば、建築基準法施行規則の別紙の「百貨店、マーケットその他の物品販売業を営む店舗（前項に掲げるもの及び専ら性的好奇心をそそる写真その他の物品の販売を行うものを除く。）」に該当する建物等を意味する。また、文化施設とは、例えば、建築基準法施行規則の別紙の「博物館その他これに類するもの」、「展示場」に該当する建物等を意味する。
【００１７】
建物１００は、所定の基準階層１０と、この所定の基準階層１０よりも上方の第１上階層２０と、所定の基準階層１０及び第１上階層２０よりも上方の第２上階層３０と、を含む。また、建物１００は、所定の基準階層１０から上方に延在し、第１上階層２０及び第２上階層３０と隣接する吹き抜け空間４０を含む。
【００１８】
本実施形態の所定の基準階層１０は図１に示す１階である。本実施形態の第１上階層２０は図２に示す２階である。本実施形態の第２上階層は図３に示す３階である。本実施形態の吹き抜け空間４０は、所定の基準階層１０としての１階から上方に延在し、第１上階層２０としての２階、及び、第２上階層３０としての３階、と水平方向で隣接している。
【００１９】
図１に示すように、本実施形態の所定の基準階層１０としての１階は、平面視で、吹き抜け空間４０の位置となる広場領域１と、この広場領域１に隣接する複数の店舗領域２と、を含む。本実施形態において、広場領域１と店舗領域２とは、平面視で、離間して配置された複数の柱１５の柱芯を通過する直線状の基準線Ｌ０により区画されている。
【００２０】
図２に示すように、本実施形態の第１上階層２０としての２階は、平面視で、吹き抜け空間４０と隣接する後述の第１隣接部２１と、この第１隣接部２１のうち吹き抜け空間４０側とは反対側に隣接する店舗領域３と、を含む。本実施形態において、第１隣接部２１と店舗領域３とは、平面視で、離間して配置された複数の柱２５の柱芯を通過する直線状の基準線Ｌ２により区画されている。
【００２１】
図３に示すように、本実施形態の第２上階層３０としての３階は、平面視で、吹き抜け空間４０と隣接する後述の第２隣接部３１と、この第２隣接部３１のうち吹き抜け空間４０側とは反対側に隣接する店舗領域４と、を含む。本実施形態において、第２隣接部３１と店舗領域４とは、平面視で、離間して配置された複数の柱３５の柱芯を通過する直線状の基準線Ｌ４により区画されている。
【００２２】
建物１００が４層以上の構成の場合には、上述の所定の基準階層１０、第１上階層２０及び第２上階層３０は、１階〜３階でなくてもよい。建物１００が４層以上の構成の場合には、吹き抜け空間４０は、少なくとも３層に亘って延在する構成であればよく、４層以上に亘って延在する構成であってもよい。
【００２３】
なお、図１〜図３に示すように、本実施形態の吹き抜け空間４０は、平面視で建物１００の一方側に偏って配置されている。つまり、図２、図３に示すように、本実施形態の吹き抜け空間４０は、平面視で第１上階層２０及び第２上階層３０に囲まれておらず、平面視で第１上階層２０及び第２上階層３０に対して一方側（例えば西側）のみに位置している。建物１００における吹き抜け空間４０の位置は、本実施形態で示す位置に限られず、例えば、上階層に囲まれる吹き抜け空間であってもよい。但し、本実施形態のように、平面視で第１上階層２０及び第２上階層３０に囲まれておらず、少なくとも一部が建物１００の外周壁１０１に隣接している吹き抜け空間４０とすることが好ましい。このようにすることで、外周壁１０１に設けられた開口や、外周壁１０１を構成するガラスカーテンウォール等を通じて光を採り込み易く、吹き抜け空間４０を明るく開放的な空間にすることができると共に、建物外部からも視認することができる。
【００２４】
第１上階層２０は、吹き抜け空間４０から視認可能な第１隣接部２１を備える。図２に示すように、第１隣接部２１は、平面視で、吹き抜け空間４０に隣接すると共に吹き抜け空間４０に沿って延在する。
【００２５】
第２上階層３０は、吹き抜け空間４０から視認可能な第２隣接部３１を備える。図３に示すように、第２隣接部３１は、平面視で、吹き抜け空間４０に隣接すると共に吹き抜け空間４０に沿って延在する。
【００２６】
第１隣接部２１とは、平面視において、第１上階層２０と吹き抜け空間４０とを区画する区画線Ｌ１と、吹き抜け空間４０に沿って配置される複数の柱２５の中心を通過する柱通り芯である基準線Ｌ２と、に挟まれる領域を意味する。本実施形態の第１隣接部２１は、平面視で基準線Ｌ２と直交する方向（以下、「通路幅方向Ａ」と記載する。）において区画線Ｌ１及び基準線Ｌ２に挟まれる、第１通路部２１ａ及び第１ステージ部２１ｂにより構成されている。
【００２７】
また、第２隣接部３１とは、平面視において、第２上階層３０と吹き抜け空間４０とを区画する区画線Ｌ３と、吹き抜け空間４０に沿って配置される複数の柱３５の中心を通過する柱通り芯である基準線Ｌ４と、に挟まれる領域を意味する。なお、本実施形態の基準線Ｌ０、Ｌ２及びＬ４は、平面視での位置が一致している。本実施形態の第２隣接部３１は、平面視で基準線Ｌ４と直交する方向（通路幅方向Ａと同じ方向）において区画線Ｌ３及び基準線Ｌ４に挟まれる、第２通路部３１ａ及び第２ステージ部３１ｂにより構成されている。
【００２８】
ここで、第２隣接部３１は、第１隣接部２１と鉛直方向で重ならない部分を備える。換言すれば、平面視において、第１隣接部２１及び第２隣接部３１は、互いに重ならない部分がある。このように、第１上階層２０に配置される第１隣接部２１、及び、第２上階層３０に配置される第２隣接部３１を、鉛直方向で重ならない部分を備えるように配置することで、階層の異なる第１隣接部２１及び第２隣接部３１の両方を、所定の基準階層１０の位置から吹き抜け空間４０を通じて視認することが可能となる。そのため、基準階層１０にいる人は、第１隣接部２１及び第２隣接部３１の平面視での位置、形状等の相違を認知すると共に、第１上階層２０及び第２上階層３０への興味を掻き立てられる。これにより、基準階層１０にいる人を上階に誘引する効果が期待できる。
【００２９】
より具体的に、本実施形態では、第２ステージ部３１ｂは、第１ステージ部２１ｂと鉛直方向で重ならない部分を備える。このようにすることで、基準階層１０にいる人は、第１隣接部２１及び第２隣接部３１の平面視での位置、形状等の相違を、より認知し易い。そのため、基準階層１０にいる人は、第１上階層２０及び第２上階層３０への興味を、より掻き立てられ易い。これにより、人を上階に、より誘引する効果が期待できる。
【００３０】
上述したように、第１隣接部２１は、周囲よりも吹き抜け空間４０に向かってせり出す第１ステージ部２１ｂを備える。より具体的に、本実施形態の第１ステージ部２１ｂは、第１隣接部２１のうち吹き抜け空間４０に向かってせり出している部分である。本実施形態の第１通路部２１ａは、第１隣接部２１のうち第１ステージ部２１ｂ以外の部分である。つまり、本実施形態の第１ステージ部２１ｂは、第１通路部２１ａよりも吹き抜け空間４０側に突出している部分である。
【００３１】
また、第２隣接部３１は、周囲よりも吹き抜け空間４０に向かってせり出す第２ステージ部３１ｂを備える。より具体的に、本実施形態の第２ステージ部３１ｂは、第２隣接部３１のうち吹き抜け空間４０に向かってせり出している部分である。本実施形態の第２通路部３１ａは、第２隣接部３１のうち第２ステージ部３１ｂ以外の部分である。つまり、本実施形態の第２ステージ部３１ｂは、第２通路部３１ａよりも吹き抜け空間４０側に突出している部分である。
【００３２】
なお、第１隣接部２１において、第１ステージ部２１ｂは複数あってもよい。また、第２隣接部３１において、第２ステージ部３１ｂは複数あってもよい。このように、複数の第１ステージ部２１ｂと、複数の第２ステージ部３１ｂと、を備える建物１００では、少なくとも１つの第２ステージ部３１ｂが、少なくとも１つの第１ステージ部２１ｂと鉛直方向で重ならない部分を備えればよい。
【００３３】
また、第１隣接部２１には、区画線Ｌ１の位置に手摺り２２が設けられている。更に、第２隣接部３１には、区画線Ｌ３の位置に手摺り３２が設けられている。手摺り２２及び３２は、例えばガラスや複数の桟材などの視通部材を含む。そのため、手摺り２２及び３２は、視通可能に構成されている。そのため、所定の基準階層１０にいる人は、手摺り２２及び３２を通じて、第１隣接部２１及び第２隣接部３１での賑わい等を視認することができる。これにより、基準階層１０にいる人は、第１上階層２０及び第２上階層３０への興味を、より掻き立てられ易くなる。その結果、人を上階に、より誘引する効果が期待できる。
【００３４】
なお、区画線Ｌ１及びＬ３の位置に、ガラス壁等を配置してもよいが、本実施形態のように手摺り２２及び３２を配置し、第１隣接部２１及び第２隣接部３１それぞれと、吹き抜け空間４０と、を連通させることが好ましい。このようにすることで、第１隣接部２１及び第２隣接部３１と、吹き抜け空間４０と、の一体性を強調でき、人を上階に、より誘引する効果が期待できる。
【００３５】
また、図２に示すように、第１隣接部２１の幅Ｗ１は、第１ステージ部２１ｂの位置で周囲よりも広幅になっている。より具体的に、平面視で基準線Ｌ２と直交する通路幅方向Ａでの第１隣接部２１の幅Ｗ１は、吹き抜け空間４０に沿って変動し、第１ステージ部２１ｂの位置で周囲よりも広幅になっている。
【００３６】
更に、図３に示すように、第２隣接部３１の幅Ｗ２は、第２ステージ部３１ｂの位置で周囲よりも広幅になっている。より具体的に、平面視で基準線Ｌ４と直交する通路幅方向Ａでの第２隣接部３１の幅Ｗ２は、吹き抜け空間４０に沿って変動し、第２ステージ部３１ｂの位置で周囲よりも広幅になっている。
【００３７】
図４は、第１上階層２０と第２上階層３０とを繋ぐ昇降部５１としてのエスカレータを、吹き抜け空間４０側から見た正面視を示す正面図である。図２〜図４に示すように、昇降部５１としてのエスカレータは、第１ステージ部２１ｂと第２ステージ部３１ｂとを繋ぐ位置に設けられている。より具体的に、昇降部５１としてのエスカレータの下部は、第１上階層２０の第１隣接部２１の第１ステージ部２１ｂに連結されている。また、昇降部５１としてのエスカレータの上部は、第２上階層３０の第２隣接部３１の第２ステージ部３１ｂに連結されている。そのため、人は、図２〜図４に示す昇降部５１としてのエスカレータにより、第１上階層２０の第１ステージ部２１ｂと、第２上階層３０の第２ステージ部３１ｂと、を行き来可能である。このように、昇降部５１を第１ステージ部２１ｂ及び第２ステージ部３１ｂを繋ぐように設置することで、基準階層１０にいる人は、第１上階層２０及び第２上階層３０に対する興味と共に、第１上階層２０及び第２上階層３０へ行くための方法を認識することができる。そのため、人を上階に、より誘引する効果が期待できる。
【００３８】
また、図１、図２に示すように、所定の基準階層１０と第１上階層２０とは、別の昇降部５１としてのエスカレータにより連結されている。なお、所定の基準階層１０と第２上階層３０とを繋ぐ更に別の昇降部５１があってもよい。
【００３９】
昇降部５１は、本実施形態のエスカレータに限られない。昇降部５１は、階段、エレベータ等であってもよい。但し、昇降部５１をエスカレータにより構成することで、階層間の輸送効率である単位時間当たりに輸送可能な人数を向上させることができる。
【００４０】
次に、建物１００における第１隣接部２１及び第２隣接部３１の更なる詳細について説明する。
【００４１】
上述したように、本実施形態では、第２ステージ部３１ｂは、第１ステージ部２１ｂと鉛直方向で重ならない部分を備える。より具体的に、本実施形態の第２ステージ部３１ｂは、吹き抜け空間４０側から見た正面視（図４参照）において、第１ステージ部２１ｂと鉛直方向で重ならない部分を備える。換言すれば、本実施形態の第２ステージ部３１ｂは、正面視（図４参照）において、第１ステージ部２１ｂと左右方向の幅が一致していない、及び／又は、第１ステージ部２１ｂと左右方向の中央位置が異なっている。このようにすることで、所定の基準階層１０にいる人は、第１隣接部２１の第１ステージ部２１ｂ、及び、第２隣接部３１の第２ステージ部３１ｂ、の平面視での位置、形状等の相違を認知し易い。そのため、所定の基準階層１０にいる人は、第１上階層２０及び第２上階層３０への興味を掻き立てられ易い。これにより、基準階層１０にいる人を、より上階に誘引する効果が期待できる。
【００４２】
更に、第２ステージ部３１ｂは、第１ステージ部２１ｂよりも吹き抜け空間４０に向かってせり出していてもよい。図５は、第２ステージ部３１ｂが第１ステージ部２１ｂよりも吹き抜け空間４０側に向かって突出している様子を示す図である。図５に示すように、第２上階層３０の第２ステージ部３１ｂを、第１上階層２０の第１ステージ部２１ｂよりも吹き抜け空間４０側に突出させることで、所定の基準階層１０にいる人は、第１隣接部２１の第１ステージ部２１ｂ、及び、第２隣接部３１の第２ステージ部３１ｂ、の平面視での位置、形状等の相違を認知し易い。そのため、所定の基準階層１０にいる人は、第１上階層２０及び第２上階層３０への興味を掻き立てられ易い。これにより、基準階層１０にいる人を、より上階に誘引する効果が期待できる。
【００４３】
なお、第２ステージ部３１ｂは、吹き抜け空間４０側から見た正面視（図４参照）において第１ステージ部２１ｂと鉛直方向で重ならない部分を備え、かつ、第１ステージ部２１ｂよりも吹き抜け空間４０に向かってせり出していてもよい。
【００４４】
更に、図２〜図４に示すように、本実施形態の第１ステージ部２１ｂ及び第２ステージ部３１ｂそれぞれは、下スラブ材６１と、上スラブ材６２と、を備える。上スラブ材６２は、下スラブ材６１と鉛直方向で少なくとも一部が積層されている。
【００４５】
本実施形態では、第１ステージ部２１ｂ及び第２ステージ部３１ｂそれぞれが、下スラブ材６１及び上スラブ材６２を備えるが、この構成に限られない。第１ステージ部２１ｂ及び第２ステージ部３１ｂのいずれか一方のステージ部のみが、下スラブ材６１及び上スラブ材６２を備える構成であってもよい。
【００４６】
また、本実施形態の第１隣接部２１は、基準線Ｌ２に沿って配置される複数の柱２５から吹き抜け空間４０側に片持ち状に支持されている。そのため、第１隣接部２１を構成するスラブは、図５に示すように、基準線Ｌ２から吹き抜け空間４０に向かって厚みが薄くなるように構成されている。より具体的に、本実施形態の第１隣接部２１では、第１ステージ部２１ｂが下スラブ材６１及び上スラブ材６２の２層構造であり、第１通路部２１ａが下スラブ材６１及び上スラブ材６２の他に別のスラブ材を備える３層構造となっている。なお、本実施形態の第２隣接部３１も同様の構造である。但し、第１隣接部２１及び第２隣接部３１のスラブ材の積層構造は、本実施形態の構造に限定されず、例えば、３層以上のスラブ材が積層されているステージ部としてもよく、４層以上のスラブ材が積層されている通路部としてもよい。
【００４７】
また、第１ステージ部２１ｂ及び第２ステージ部３１ｂそれぞれを構成する下スラブ材６１及び上スラブ材６２は、水平方向の位置が完全に一致して鉛直方向に完全に重なっていてもよい。但し、本実施形態のように、第１ステージ部２１ｂ及び第２ステージ部３１ｂそれぞれを構成する下スラブ材６１及び上スラブ材６２は、鉛直方向で重ならない部分を有することが好ましい。このようにすれば、第１ステージ部２１ｂ及び第２ステージ部３１ｂそれぞれの床厚みを位置によって調整できる。そのため、一様な厚さの第１ステージ部及び第２ステージ部と比較して、第１ステージ部２１ｂ及び第２ステージ部３１ｂそれぞれの特異性を強調し易くなる。
【００４８】
本実施形態において、第１ステージ部２１ｂ及び第２ステージ部３１ｂそれぞれを構成する下スラブ材６１及び上スラブ材６２は、吹き抜け空間４０側から見た正面視（図４参照）において、鉛直方向で重ならない部分を備える。更に、上スラブ材６２は、下スラブ材６１よりも吹き抜け空間４０に向かってせり出していてもよい。このように、第１ステージ部２１ｂ及び第２ステージ部３１ｂそれぞれを構成する下スラブ材６１及び上スラブ材６２の重ならない部分の位置は特に限定されない。
【００４９】
第１ステージ部２１ｂ及び第２ステージ部３１ｂそれぞれを構成する下スラブ材６１及び上スラブ材６２が鉛直方向で重ならない部分は、例えば、その位置の用途等に応じて設計してもよい。第１ステージ部２１ｂ及び第２ステージ部３１ｂそれぞれにおいて、例えば、昇降部５１としてのエスカレータが連結される位置を、下スラブ材６１及び上スラブ材６２が鉛直方向で重なる位置とすればよい。このようにすれば、鉛直荷重がかかり易い昇降部５１を支持する部分の床厚みを大きくできる。その一方で、例えば、花などの装飾材を載置するのみの用途で使用する位置など、昇降部５１や人を鉛直方向下側から直接支持しないような位置を、下スラブ材６１及び上スラブ材６２が鉛直方向で重ならない位置とすればよい。例えば、下スラブ材６１を上スラブ材６２よりも正面視（図４参照）の左右方向、又は、吹き抜け空間４０側、に突出させ、下スラブ材６１の突出した部分の上面に、草木、花などの装飾材を配置さればよい。このように、第１ステージ部２１ｂ及び第２ステージ部３１ｂそれぞれの場所ごとの用途等に応じて、下スラブ材６１及び上スラブ材６２の重なり具合を設計してもよい。
【００５０】
更に、図５に示すように、上スラブ材６２の吹き抜け空間４０側の端面の下部には、前記吹き抜け空間側に向かって突出している突出部６２ａが設けられていることが好ましい。換言すれば、上スラブ材６２の吹き抜け空間４０側の端面の上部は、面取りされていることが好ましい。このようにすることで、所定の基準階層１０にいる人は、第１ステージ部２１ｂ及び第２ステージ部３１ｂの賑わいを視認し易くなる。また、突出部６２ａの上面を、例えば、草木、花などの装飾材を配置するための空間として利用してもよい。
【００５１】
なお、上スラブ材６２に限られず、下スラブ材６１についても、上記同様の理由により、吹き抜け空間４０側の端面の下部に突出部を設けることが好ましい。
【００５２】
本発明に係る建物及び設計法は、上述した実施形態で具体的に示す構成及びその構成の設計法に限られず、特許請求の範囲に記載された発明の要旨を逸脱しない限り、種々の変形・変更が可能である。そのため、基準階層１０から吹き抜け空間４０を通じて第１上階層２０及び第２上階層３０を視認できるように、基準階層１０〜第２上階層３０までの階層数は設定されることが好ましい。基準階層１０における吹き抜け空間４０の位置での床面積等にもよるが、例えば、上記階層数は、３〜５階層とすることが好ましい。
【産業上の利用可能性】
【００５３】
本発明は建物及び設計法に関する。
【符号の説明】
【００５４】
１：広場領域
２、３、４：店舗領域
１０：基準階層
１５：柱
２０：第１上階層
２１：第１隣接部
２１ａ：第１通路部
２１ｂ：第１ステージ部
２２：手摺り
２５：柱
３０：第２上階層
３１：第２隣接部
３１ａ：第２通路部
３１ｂ：第２ステージ部
３２：手摺り
３５：柱
４０：吹き抜け空間
５１：昇降部
６１：下スラブ材
６２：上スラブ材
６２ａ：突出部
１００：建物
１０１：建物の外周壁
Ａ：通路幅方向
Ｌ０：基準階層における広場と店舗領域とを区画する基準線
Ｌ１：第１上階層と吹き抜け空間とを区画する区画線
Ｌ２：第１上階層において吹き抜け空間に沿って配置される複数の柱の中心を通過する柱通り芯である基準線
Ｌ３：第２上階層と吹き抜け空間とを区画する区画線
Ｌ４：第２上階層において吹き抜け空間に沿って配置される複数の柱の中心を通過する柱通り芯である基準線
Ｗ１：第１隣接部の幅
Ｗ２：第２隣接部の幅
【図１】
2020204224.tif 000003
【図２】
2020204224.tif 000004
【図３】
2020204224.tif 000005
【図４】
2020204224.tif 000006
【図５】
2020204224.tif 000007